【手続補正書】
【提出日】平成28年3月3日(2016.3.3)
【手続補正１】
【補正対象書類名】特許請求の範囲
【補正対象項目名】全文
【補正方法】変更
【補正の内容】
【特許請求の範囲】
【請求項１】
始動領域を遊技媒体が通過したことにもとづいて可変表示を行い、遊技者にとって有利な有利状態に制御可能な遊技機であって、
前記始動領域に設けられ、所定条件の成立にもとづいて入賞可能な開放状態に変化可能な可変入賞装置と、
前記遊技機への電力供給が停止しても記憶内容を所定期間保持可能な記憶手段と、
操作に応じて操作信号を出力する初期化操作手段と、
電力供給が開始されたときに、前記初期化操作手段からの前記操作信号が入力されたことにもとづいて、前記記憶手段の記憶内容を初期化する初期化処理を実行する初期化処理実行手段と、
所定のエラーが発生しているか否かを判定するエラー判定手段と、
少なくとも、前記初期化処理実行手段によって前記初期化処理が実行されたこと、および前記エラー判定手段によって前記所定のエラーが発生していると判定されたことを含む信号出力条件が成立したことにもとづいて、前記遊技機の外部にセキュリティ信号を出力するセキュリティ信号外部出力手段と、
前記可変入賞装置への異常入賞が発生したことを報知する異常入賞報知手段とを備え、
前記エラー判定手段は、前記可変入賞装置への異常入賞が発生しているときに、前記所定のエラーが発生していると判定し、
前記セキュリティ信号外部出力手段は、前記初期化処理実行手段によって前記初期化処理が実行されたときと前記エラー判定手段によって前記所定のエラーが発生していると判定されたときとで、前記遊技機に設けられた共通の出力端子から前記セキュリティ信号を前記遊技機の外部に出力し、
前記初期化処理実行手段によって前記初期化処理が実行されたことにより前記セキュリティ信号を出力しているときに前記エラー判定手段によって前記所定のエラーが発生していると判定された場合には、前記セキュリティ信号を出力する出力期間を延長し、
前記初期化処理実行手段によって前記初期化処理が実行されたときに前記セキュリティ信号を出力する出力期間と、前記エラー判定手段によって前記所定のエラーが発生していると判定されたときに前記セキュリティ信号を出力する出力期間とが異なる、
ことを特徴とする遊技機。
【手続補正２】
【補正対象書類名】明細書
【補正対象項目名】０００１
【補正方法】変更
【補正の内容】
【０００１】
本発明は、パチンコ遊技機等の遊技機に係り、詳しくは、始動領域を遊技媒体が通過したことにもとづいて可変表示を行い、遊技者にとって有利な有利状態に制御可能な遊技機に関する。
【手続補正３】
【補正対象書類名】明細書
【補正対象項目名】０００７
【補正方法】変更
【補正の内容】
【０００７】
（１）上記目的を達成するため、本願の請求項に係る遊技機は、始動領域（例えば、第１始動入賞口、第２始動入賞口）を遊技媒体（例えば、遊技球）が通過したことにもとづいて可変表示を行い、遊技者にとって有利な有利状態（例えば、大当り遊技状態）に制御可能な遊技機であって、前記始動領域に設けられ、所定条件の成立にもとづいて入賞可能な開放状態に変化可能な可変入賞装置（例えば、普通可変入賞装置６Ｂ）と、前記遊技機への電力供給が停止しても記憶内容を所定期間保持可能な記憶手段（例えば、ＲＡＭ５０７）と、操作に応じて操作信号を出力する初期化操作手段（例えば、クリアスイッチ３０４）と、電力供給が開始されたときに、前記初期化操作手段からの前記操作信号が入力されたことにもとづいて、前記記憶手段の記憶内容を初期化する初期化処理を実行する初期化処理実行手段（例えば、遊技制御用マイクロコンピュータ１００におけるステップＳ３１、Ｓ３２を実行する部分）と、所定のエラーが発生しているか否かを判定するエラー判定手段（例えば、遊技制御用マイクロコンピュータ１００におけるステップＳＡ１１のスイッチ異常チェック処理を実行する部分）と、少なくとも、前記初期化処理実行手段によって前記初期化処理が実行されたこと、および前記エラー判定手段によって前記所定のエラーが発生していると判定されたことを含む信号出力条件が成立したこと（例えば、初期化処理が実行されたこと、第２始動入賞口への異常入賞を検出したこと）にもとづいて、前記遊技機の外部にセキュリティ信号を出力するセキュリティ信号外部出力手段（例えば、遊技制御用マイクロコンピュータ１００におけるステップＳ３２Ａ、ＳＡ３２でセキュリティ信号出力時間を設定した後に、ステップＳＢ０１〜ＳＢ０３を実行して、セキュリティ信号を出力する部分）と、前記可変入賞装置への異常入賞が発生したことを報知する異常入賞報知手段とを備え、前記エラー判定手段は、前記可変入賞装置への異常入賞が発生しているときに、前記所定のエラーが発生していると判定し（例えば、遊技制御用マイクロコンピュータ１００におけるステップＳＡ３１の処理を実行する）、前記セキュリティ信号外部出力手段は、前記初期化処理実行手段によって前記初期化処理が実行されたときと前記エラー判定手段によって前記所定のエラーが発生していると判定されたときとで、前記遊技機に設けられた共通の出力端子（例えば、出力ポートＯＰ１のビット番号［７］に対応するターミナル基板のコネクタ）から前記セキュリティ信号を前記遊技機の外部に出力し（例えば、遊技制御用マイクロコンピュータ１００は、ステップＳ３２Ａ、ＳＡ３２、ＳＢ０１〜ＳＢ０３を実行することによって、出力ポートＯＰ１のビット番号［７］に対応するターミナル基板のコネクタから共通のセキュリティ信号として外部出力する）、前記初期化処理実行手段によって前記初期化処理が実行されたことにより前記セキュリティ信号を出力しているときに前記エラー判定手段によって前記所定のエラーが発生していると判定された場合には、前記セキュリティ信号を出力する出力期間を延長し、前記初期化処理実行手段によって前記初期化処理が実行されたときに前記セキュリティ信号を出力する出力期間と、前記エラー判定手段によって前記所定のエラーが発生していると判定されたときに前記セキュリティ信号を出力する出力期間とが異なる。
【手続補正４】
【補正対象書類名】明細書
【補正対象項目名】０４３７
【補正方法】変更
【補正の内容】
【０４３７】
続いて、ステップＳ５０１の処理における読出値が、予め定められた上限値（例えば「４」など）以上であるか否かを判定する（ステップＳ５０２）。このとき、上限値未満であれば（ステップＳ５０２；Ｎｏ）、ステップＳ５０１の処理で読み出した保留記憶カウント値を１加算するように更新する（ステップＳ５０３）。また、遊技球が通過（進入）した始動入賞口に対応する特図保留記憶部における保留データの記憶位置を特定する（ステップＳ５０４）。すなわち、遊技球が第１始動入賞口を通過（進入）した場合には、第１特図保留記憶部５９１Ａにおける保留データの記憶位置を特定する一方、遊技球が第２始動入賞口を通過（進入）した場合には、第２特図保留記憶部５９１Ｂにおける保留データの記憶位置を特定する。このときには、例えば図５６に示すステップＳ２０２の処理でセットされた第１始動口入賞テーブル１３６Ａで指定される第１特図保留記憶部アドレス、あるいは、ステップＳ２０７の処理でセットされた第２始動口入賞テーブル１３６Ｂで指定される第２特図保留記憶部アドレスに、ステップＳ５０１の処理などで読み出した保留記憶カウント値に対応するアドレス加算値を加算することなどにより、保留データの記憶位置となる第１特図保留記憶部５９１Ａや第２特図保留記憶部５９１Ｂの記憶アドレスなどを特定できればよい。